【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
第１撮像装置と、
第２撮像装置と、
第１撮像装置と第２撮像装置を接続し、第１撮像装置と第２撮像装置の間で同期するための同期信号と、タイムコードを合わせるためのタイムコード信号と、及び少なくとも撮影パラメータを含むデータ信号と、を伝送する１本のケーブルを備える
立体映像撮像システム。
【請求項２】
第１撮像装置及び第２撮像装置の各々は、
撮像装置本体の回路と接続し、前記ケーブルを介して他装置の同期信号が入力される第１入力回路と、
撮像装置本体の回路と接続し、前記ケーブルを介して自装置の同期信号を出力する第１出力回路と、
撮像装置本体の回路と接続し、前記ケーブルを介して他装置のタイムコード信号が入力される第２入力回路と、
撮像装置本体の回路と接続し、前記ケーブルを介して自装置のタイムコード信号を出力する第２出力回路と、
前記同期信号を伝送する第１導線と接続し、自装置の設定に応じて第１入力回路と第１出力回路を切り替える第１切替部と、
前記タイムコード信号を伝送する第２導線と接続し、自装置の設定に応じて第２入力回路と第２出力回路を切り替える第２切替部と、
操作入力信号に基づいて自装置をメイン又はサブに設定し、該設定に応じて第１切替部と第２切替部に切り替えを指示する制御部と、を有する
請求項１に記載の立体映像撮像システム。
【請求項３】
前記制御部は、自装置をメインに設定したときは第１切替部と第２切替部に対し、第１出力回路と第２出力回路に切り替えるよう指示し、自装置をサブに設定したときは第１切替部と第２切替部に対し、第１入力回路及び第２入力回路に切り替えるよう指示する
請求項２に記載の立体映像撮像システム。
【請求項４】
前記制御部は、第１切替部と第２切替部による切り替えが完了した後、前記同期信号を前記ケーブルの第１導線を通じて他装置へ送信し、前記タイムコード信号を前記ケーブルの第２導線を通じて他装置へ送信する
請求項３に記載の立体映像撮像システム。
【請求項５】
前記制御部は、自装置がメインに設定された場合に、前記同期信号と前記タイムコード信号を他装置へ送信した後、撮影パラメータの送信を指示する操作入力信号を受信して自装置の撮影パラメータを他装置へ送信する
請求項４に記載の立体映像撮像システム。
【請求項６】
前記制御部は、自装置がメイン又はサブのいずれかに設定されたこと、及び前記ケーブルが第１撮像装置と第２撮像装置に接続されたことを検出した場合に、第１切替部と第２切替部に切り替えを指示する
請求項３乃至５のいずれかに記載の立体映像撮像システム。
【請求項７】
前記ケーブルの前記第１導線と前記第２導線は、同軸線の芯線である
請求項２乃至６のいずれかに記載の立体映像撮像システム。
【請求項８】
立体映像撮像システムを構成する、１本のケーブルで接続された第１撮像装置と第２撮像装置の各々が、制御部が操作入力信号に基づいて自装置をメイン又はサブに設定すること、
前記制御部が前記設定に応じて、撮像装置本体の回路と接続し、前記ケーブルを介して他装置の同期信号が入力される第１入力回路と、撮像装置本体の回路と接続し、前記ケーブルを介して自装置の同期信号を出力する第１出力回路を切り替えるよう、前記同期信号を伝送する第１導線と接続する第１切替部に指示すること、
前記制御部が前記設定に応じて、撮像装置本体の回路と接続し、前記ケーブルを介して他装置のタイムコード信号が入力される第２入力回路と、撮像装置本体の回路と接続し、前記ケーブルを介して自装置のタイムコード信号を出力する第２出力回路を切り替えるよう、前記タイムコード信号を伝送する第２導線と接続する第２切替部に指示すること、
第１切替部が、前記制御部からの指示に基づいて第１入力回路と第１出力回路を切り替えること、
第２切替部が、前記制御部からの指示に基づいて第２入力回路と第２出力回路を切り替えること、
を含む同期制御方法。
【手続補正２】
【補正対象書類名】明細書
【補正対象項目名】００２３
【補正方法】変更
【補正の内容】
【００２３】
図２に示すように、専用ケーブル３は、筒状の保護被覆３ａ（図４参照）内に、ゲンロック信号用の同軸線１２とタイムコード信号用の同軸線１３、データ信号用の４つの導線１４〜１７を有している。同軸線１２，１３の特性インピーダンスは、一例として７５Ω又は５０Ωとする。専用ケーブル３の両端には、オス型のコネクタ１１Ａ，１１Ｂが設けられている。コネクタ１１Ａ，１１Ｂは同一の構成であり、それぞれに８個の端子（ピン）を有している。２つのコネクタ１１Ａ，１１Ｂの対応する端子間は、これらの信号線により導通している。
【手続補正３】
【補正対象書類名】明細書
【補正対象項目名】００２９
【補正方法】変更
【補正の内容】
【００２９】
図３，図４に示すように、撮像装置１のコネクタ２１（メス）に専用ケーブル３のコネクタ１１Ａ（オス）を装着すると、コネクタ１１Ａの各端子（第１〜８ピン）と、対応する撮像装置１の各端子（第１〜８ピン）が物理的及び電気的に接続される。同様に、専用ケーブル３のコネクタ１１Ｂ（オス）を撮像装置２のコネクタ２１（メス）に装着すると、コネクタ１１Ｂの各端子（第１〜８ピン）と、対応する撮像装置２の各端子（第１〜８ピン）が物理的及び電気的に接続される。
【手続補正４】
【補正対象書類名】明細書
【補正対象項目名】００５２
【補正方法】変更
【補正の内容】
【００５２】
入出力切替制御部５４は、ネゴシエーション部５３からネゴシエーション終了の通知を受信した後、コネクタＩ／Ｆ２２（図３，図４参照）の入力回路２３と出力回路２４の切り替えを行うべく制御する。入出力切替制御部５４は、自機の入力回路２３と出力回路２４の切り替えを指示するとともに、他機に対しても入力回路２３と出力回路２４の切り替えを指示する。
【手続補正５】
【補正対象書類名】明細書
【補正対象項目名】００６２
【補正方法】変更
【補正の内容】
【００６２】
次に、撮影者が、撮像装置１のコネクタ２１に専用ケーブル３のコネクタ１１Ａを接続し、撮像装置２のコネクタ２１に専用ケーブル３のコネクタ１１Ｂを接続する。
撮像装置１では、メイン制御部３７（専用ケーブル検出部５２）が、専用ケーブル３のコネクタ１１Ａが撮像装置１のコネクタ２１に挿入されたことを検出する（ステップＳ３）。同様に、撮像装置２でも、メイン制御部３７（専用ケーブル検出部５２）が、専用ケーブル３のコネクタ１１Ｂが撮像装置２のコネクタ２１に挿入されたことを検出する（ステップＳ４）。なお、ステップＳ１，Ｓ２の立体映像撮像モードの選択処理と、ステップＳ３，Ｓ４の専用ケーブル３の接続処理は、順序が逆でもよい。
【手続補正６】
【補正対象書類名】明細書
【補正対象項目名】００６４
【補正方法】変更
【補正の内容】
【００６４】
ネゴシエーション処理が終了後、撮像装置１のメイン制御部３７（入出力切替制御部５４）は、コネクタＩ／Ｆ２２の切替部２５（第１切替部）を出力回路２４側へ切り替える（ステップＳ８）。これにより、バッファアンプの向きと抵抗器（出力抵抗器）が切り替えられ、ゲンロック用とタイムコード用の回路が出力側へ切り替えられる。切り替え後、撮像装置１のメイン制御部３７（入出力切替制御部５４）は、撮像装置２に対しゲンロック用とタイムコード用の回路を入力側へ切り替えを指示するコマンドを送信する（ステップＳ９）。
【手続補正７】
【補正対象書類名】明細書
【補正対象項目名】００６５
【補正方法】変更
【補正の内容】
【００６５】
撮像装置２のメイン制御部３７（入出力切替制御部５４）は、撮像装置１からゲンロック用とタイムコード用の回路を入力側へ切り替えを指示するコマンドを受信する（ステップＳ１０）。撮像装置２のメイン制御部３７（入出力切替制御部５４）は、コマンドを受信すると、コネクタＩ／Ｆ２２の切替部２５（第２切替部）を出力回路２４側へ切り替える（ステップＳ１１）。これにより、バッファアンプの向きと抵抗器（終端抵抗器）が切り替えられ、ゲンロック用とタイムコード用の回路が入力側へ切り替えられる。切り替え後、撮像装置２のメイン制御部３７（入出力切替制御部５４）は、撮像装置１に対しゲンロック用とタイムコード用の回路の入力側への切り替えが完了したことを示すコマンドを送信する（ステップＳ１２）。
【手続補正８】
【補正対象書類名】明細書
【補正対象項目名】００７４
【補正方法】変更
【補正の内容】
【００７４】
以上説明したように、本開示の一実施の形態によれば、２台の撮像装置を専用ケーブルで接続し、２台の撮像装置でメイン／サブを設定した場合に各々の撮像装置の入出力I／Ｆに設けた入力回路と出力回路が切り替えられる構成を有する。ゆえに、２台の撮像装置のメイン／サブの設定がいずれであっても、２台の撮像装置を立体映像撮像システムとして機能させることができる。
この構成を有することにより、ゲンロック信号を伝送する導線（一例として同軸線）とタイムコード信号を伝送する導線（一例として同軸線）を、１本の専用ケーブル内にそれぞれ一つずつ用意するだけでよい。すなわち、２台の撮像装置に１本のケーブルをつなぐことで２台の撮像装置の同期とタイムコードを合わせることができる。
それゆえ、２台の撮像装置の同期、タイムコードを合わせるための複数の導線を１本のケーブルに集約し、ケーブルの数を減らすことができる。よって、立体映像撮像システムの２台の撮像装置に複数のケーブルを接続する必要がなくので、撮影準備の省力化が図られる。
【手続補正９】
【補正対象書類名】図面
【補正対象項目名】図４
【補正方法】変更
【補正の内容】
【図４】
2012253599.tif 000001